(57)【要約】【課題】  分解槽における有機物分解後に、分解槽中には必ず微生物では分解できない鉱物、金属類等の残渣が残るが、これを処理するには、劣化した担持体（木片チップ、おがくず、籾殻等）と共に取出し、その都度担持体を補給若しくは全てを交換することが必要であったが、これは著しく時間を要する大変な作業であり、又多額の費用を要するものである。【解決手段】  分解槽の底部近傍に微生物担持セラミックスより小径の複数の残渣排出孔を設け、残渣排出孔の外側に開閉モータにより開閉する蓋を配設し、蓋の外側には残渣貯留箱を設けた残渣排出機を備えれば、残渣処理を簡単に実施できる。【選択図】図２
2010184227.tif 000002
【特許請求の範囲】
【請求項１】
主として、ケース及び分解槽から成り、ヒーター、送風機及び排風口を配設した分解槽には、撹拌モータに接続する撹拌軸により回転する攪拌板を内蔵し、分解槽には微生物担持セラミックスを入れ、有機物を投入し微生物により分解する有機物分解処理機において、分解槽の底部近傍に微生物担持セラミックスより小径の複数の残渣排出孔を設け、残渣排出孔の外側に開閉モータにより開閉する蓋を配設し、蓋の外側には残渣貯留箱を設けた有機物分解処理機。
【請求項２】
分解槽の底部近傍に微生物担持セラミックスより小径の残渣排出網を配設した請求項１に記載の有機物分解処理機。
【請求項３】
分解槽の底部近傍外側に、開閉モータによりスライドする蓋を設けた請求項１又は請求項２記載の有機物分解処理機。
【発明の詳細な説明】
【技術分野】
【０００１】本発明は、残渣排出機を備えた有機物分解処理機に関する。
【背景技術】
【０００２】  微生物による有機物分解処理機は従来から知られており、一般的な有機物分解処理機は、分解槽中に担持体として、木片チップ、おがくず、籾殻等を使用し、有機物をそのまま投入し、長時間の運転により処理を行っていた。【０００３】  又、有機物分解後に分解槽内に残る残渣は、手作業により、劣化した担持体（木片チップ、おがくず、籾殻等は有機物であるため微生物により徐々に分解されてしまう。）と共に外部に取出し、廃棄するか肥料として使用し、その都度担持体を補給若しくは全てを交換していた。
【発明の概要】
【発明が解決しようとする課題】
【０００４】  分解槽における有機物分解後に、分解槽中には必ず微生物では分解できない鉱物、金属類等の残渣が残るが、これを処理するには、劣化した担持体（木片チップ、おがくず、籾殻等）と共に取出し、その都度担持体を補給若しくは全てを交換することが必要であったが、これは著しく時間を要する大変な作業であり、又多額の費用を要するものであった。【０００５】  本発明は、このような従来の構成が有していた問題を解決しようとするものであり、残渣排出機により残渣処理を簡単にすることを目的とするものである。
【課題を解決するための手段】
【０００６】  本発明は、上記目的を達成するために、主として、ケース及び分解槽から成り、ヒーター、送風機及び排風口を配設した分解槽には、撹拌モータに接続する撹拌軸により回転する攪拌板を内蔵し、分解槽には微生物担持セラミックスを入れ、有機物を投入し微生物により分解する有機物分解処理機において、分解槽の底部近傍に微生物担持セラミックスより小径の複数の残渣排出孔を設け、残渣排出孔の外側に開閉モータにより開閉する蓋を配設し、蓋の外側には残渣貯留箱を設けた残渣排出機を設けたものである。【０００７】  上記の課題解決手段による作用は次の通りである。すなわち、主として、ケース及び分解槽から成り、ヒーター、送風機及び排風口を配設した分解槽には、撹拌モータ、小スプロケット、チェーン及び大スプロケットに接続する撹拌軸により回転する攪拌板を内蔵し、分解槽には微生物担持セラミックスを入れた有機物分解処理機において、投入口から水分を含んだ有機物を分解槽中に入れると、分解槽中に配設する水分検知器が分解槽中の水分が一定以上であることを感知し、撹拌モータが回転し、撹拌板が回転する。【０００８】  この時点で、ヒーター、送風機に通電し、分解槽中のセラミックス及び有機物が加温され、分解槽中に空気が送り込まれる。【０００９】  分解槽中のセラミックス及び有機物が一定温度となり、水分量が一定以上になりセラミックスに担持された微生物と有機物が接触すると、微生物は有機物の分解を開始する。【００１０】  有機物は、主として水と二酸化炭素に分解されるが、このとき分解槽中には必ず微生物では分解できない鉱物、金属類等の残渣が残り、これらの残渣は撹拌板の回転、そして比重の差により分解槽中の底部に溜まることとなる。【００１１】  有機物の分解状況は分解槽中の水分量の高低に比例するが、水分量が一定以下となると有機物は分解されたこととなる。【００１２】  水分検知器により分解槽中の水分量が一定以下と判断されると、ヒーター及び送風機は停止し、開閉モータが作動し蓋が開く。【００１３】  分解槽中の底部に溜まった残渣は、分解槽の底部近傍に設けられた微生物担持セラミックスより小径の複数の残渣排出孔中を抜け残渣貯留箱中に入る。【００１４】  設定時間を経過すると、蓋が閉じられ撹拌モータも停止する。【００１５】  この時点で微生物はセラミックスのマクロ孔中に少量の有機物残渣と共に入り再担持し休眠するが、微生物は休眠中であっても少量の酸素、有機物及び水分を必要とするため（水分はセラミックスのミクロ孔中に含水。）、一定時間間隔で、送風機及び撹拌モータを作動させる。【００１６】  再度、有機物を投入口から入れると、分解槽中の水分量を水分検知器が感知し、送風機、ヒーター及び撹拌モータに通電し作動が開始する。
【発明の効果】
【００１７】  上述したように本発明の残渣排出機を備えた有機物分解処理機は、分解槽における有機物分解後に、分解槽中には必ず微生物では分解できない鉱物、金属類等の残渣が残るが、これを処理するには、劣化した担持体（木片チップ、おがくず、籾殻等）と共に取出し、その都度担持体を補給若しくは全てを交換することが必要であった。これは著しく時間を要する大変な作業であり、又多額の費用を要するものであったが、これらを全て解消する残渣排出機を備えた有機物分解処理機を提供できる。
【図面の簡単な説明】
【００１８】
【図１】  本発明の有機物分解処理機の一部切欠正面図
【図２】  同図１におけるＡ−Ａ線断面図
【発明を実施するための形態】
【００１９】  以下、本発明の実施の形態を図１、図２に基づいて説明する。
【００２０】  図においては、１は投入口２を有し分解槽４を内置する箱型のケースであり、分解槽４内には適宜量の微生物担持セラミックスａ１が入れてある。
【００２１】  分解槽４は底部が一部水平円弧形状をなす箱形となっており、内部には攪拌板１０を有しているが、攪拌板１０は、分解槽４の一側両面に配設される軸受により支持される撹拌軸９に固着されている。
【００２２】  攪拌板１０は、分解槽４の下部横側に設置された撹拌モータ５により、小スプロケット６、チェーン７、大スプロケット８及び撹拌軸９を介して矢示Ａの如く回転する。
【００２３】  又、微生物の増殖に必要な空気は、送風機１１により分解槽４内に送気され、有機物分解後の二酸化炭素及び蒸気は排風口１２から排出される。
【００２４】  更に、微生物の増殖に必要な分解槽４内の温度保持は、分解槽４の側面及び下部に設けられたヒーター１３により行われる。
【００２５】  以下に残渣処理機について説明する。
【００２６】  分解槽４の底部近傍に微生物担持セラミックスａ１より小径の複数の残渣排出孔１４を設け、残渣排出孔１４の外側に分解槽４の下部に設置された開閉モータ１５により矢示Ｂの如く開閉する蓋１６を配設し、蓋１６の外側には残渣貯留箱３を設ける。
【００２７】  分解槽４の底部に溜まった残渣ａ２は、残渣排出孔１４を通過し残渣貯留箱３中に入る。
【００２８】  すなわち、残渣排出孔１４、蓋１６、開閉モータ１５及び残渣貯留箱３が残渣排出機となる。
【００２９】  又、残渣排出孔１４は微生物担持セラミックスａ１より小径目の格子若しくは網にしてもよい。
【００３０】  更に、開閉する蓋１６をモータとカム機構、若しくはモータギアとギア板でスライドさせてもよい。
【００３１】  以下、上記構成の動作を説明する。
【００３２】  投入口２から有機物を分解槽４中に入れると、分解槽４中に配設する水分検知器１７が分解槽４中の水分が一定以上であることを感知し、撹拌モータ５が回転し、小スプロケット６、チェーン７、大スプロケット８及び撹拌軸９を介して撹拌板１０が回転する。
【００３３】  この時点で、ヒーター１３、送風機１１に通電し、分解槽４中のセラミックスａ１及び有機物が加温され、分解槽４中に空気が送り込まれる。
【００３４】  分解槽４中のセラミックスａ１及び有機物が一定温度となり、水分量が一定以上になりセラミックスａ１に担持された微生物と有機物が接触すると、微生物は有機物の分解を開始する。
【００３５】  有機物は、主として水と二酸化炭素に分解されるが、このとき分解槽４中には必ず微生物では分解できない鉱物、金属類等の残渣１４が残り、これらの残渣１４は撹拌板１０の回転、そして比重の差により分解槽４中の底部に溜まることとなる。
【００３６】  有機物の分解状況は分解槽４中の水分量の高低に比例するが、水分量が一定以下となると有機物は分解されたこととなる。このとき、残渣ａ２は粉末状となる。
【００３７】  水分検知器１７により分解槽中の水分量が一定以下と判断されると、ヒーター１３及び送風機１１は停止し、開閉モータ１５が作動し蓋１６が矢示Ｂの如く開く。蓋１６の開閉限度はリミットスイッチにより行う。
【００３８】  分解槽４中の底部に溜まった粉末状の残渣ａ２は、分解槽４の底部近傍に設けられた微生物担持セラミックスａ１より小径の複数の残渣排出孔１４中を抜け残渣貯留箱３中に入る。
【００３９】  設定時間を経過すると、蓋１６が閉じられ撹拌モータ５も停止する。
【００４０】  この時点で微生物はセラミックスのマクロ孔中に少量の有機物残渣と共に入り再担持し休眠するが、微生物は休眠中であっても少量の酸素、有機物及び水分を必要とするため（水分はセラミックスのミクロ孔中に含水。）、一定時間間隔で、送風機１１及び撹拌モータ５を作動させる。
【００４１】  再度、有機物を投入口２から入れると、分解槽４中の水分量を水分検知器１７が感知し、送風機１１、ヒーター１３及び撹拌モータ５に通電し作動が開始する。
【００４２】  撹拌モータ５、開閉モータ１５の始動及び停止は、場合に応じて手動にて実施可能な電気回路としてもよい。
【００４３】  残渣貯留箱３からの残渣取出しは、残渣貯留箱３を適宜引出して行う。
【符号の説明】
【００４４】  １  ケース
３  残渣貯留箱
４  分解槽
１０  攪拌板
１４  残渣排出口
１５  開閉モータ
１６  蓋
１７  水分検知器
【図１】
2010184227.tif 000003
【図２】
2010184227.tif 000004